(57)【特許請求の範囲】
【請求項１】
地面（１）に、略鉛直且つ平坦な内側壁（２ｉ）を有する作業孔（２）を掘削した後、その作業孔（２）の内側壁（２ｉ）に接する土留め用コンクリート壁（Ｗ）を構築し、
前記構築に当たっては、矩形平板状の主型枠板（Ｐ１）と、その主型枠板（Ｐ１）の正面（１１）に固着されて該主型枠板（Ｐ１）との間に上下端が開放した扁平且つ直方体状の打設用空間（Ｃ）を画成する副型枠板（Ｐ２）とを有する型枠ユニット（Ｕ）を用いる、作業孔における土留め用コンクリート壁の構築方法であって、
掘削後の前記作業孔（２）の内側壁（２ｉ）の一部に前記主型枠板（Ｐ１）の背面（１２）を近接、対面させると共に、前記型枠ユニット（Ｕ）の下端部（Ｐ１ｄ）を該作業孔（２）の底部（２ｂ）に押込んで固定し、その底部（２ｂ）で前記打設用空間（Ｃ）の下端を閉じる第１工程と、
次いで前記作業孔（２）の深さよりも長い複数の杭（８）の下端（８ｄ）を、前記打設用空間（Ｃ）を通して相互に間隔をおいて前記作業孔（２）の底部（２ｂ）に打ち込む第２工程と、
その後、少なくとも前記副型枠板（Ｐ２）の周辺で該副型枠板（Ｐ２）の上端（Ｐ２ｕ）と略同じ高さまで土（３１）を埋め戻し、且つ前記打設用空間（Ｃ）に生コン（２１）を一次投入する第３工程と、
次いで、前記型枠ユニット（Ｕ）を、前記一次投入された未硬化状態の前記生コン（２１）を置き去りにしたまま、前記副型枠板（Ｐ２）の下端（Ｐ２ｄ）が該生コン（２１）の上端（２１ｕ）と略同じ高さとなるまで持ち上げる第４工程と、
その後、少なくとも前記副型枠板（Ｐ２）の周辺で該副型枠板（Ｐ２）の上端（Ｐ２ｕ）と略同じ高さまで土（３２）を埋め戻し、且つ前記打設用空間（Ｃ）に生コン（２２）を二次投入する第５工程と、
次いで、前記型枠ユニット（Ｕ）を、前記二次投入された未硬化状態の前記生コン（２２）を置き去りにしたまま前記作業孔（２）の外に引き上げる第６工程と、
その後、前記生コン（２１，２２）が硬化して土留め用コンクリート壁（Ｗ）が形成されるのを待って、前記３工程及び前記第５工程で埋め戻した土（３１，３２）を掘り返すことにより、該土留め用コンクリート壁（Ｗ）を前記作業孔（２）の内部空間（４０）に臨ませる第７工程と
を少なくとも含むことを特徴とする、作業孔における土留め用コンクリート壁の構築方法。
【請求項２】
前記主型枠板（Ｐ１）は、前記第１工程の終了直後に該主型枠板（Ｐ１）の上端（Ｐ１ｕ）が前記作業孔（２）の上方開口端（２ｏ）と略同じ高さとなるように上下方向長さが設定され、
前記副型枠板（Ｐ２）は、前記主型枠板（Ｐ１）の正面の下半部に固着されることを特徴とする、請求項１に記載の作業孔における土留め用コンクリート壁の構築方法。
【請求項３】
前記副型枠板（Ｐ２）は、前記作業孔（２）の深さの概ね半分に相当する上下方向長さを有することを特徴とする、請求項１又は２に記載の作業孔における土留め用コンクリート壁の構築方法。
【請求項４】
前記作業孔（２）を掘削する建機を用いて、前記第１工程〜前記第７工程のうちの少なくとも一部の工程を実行することを特徴とする、請求項１〜３の何れか１項に記載の作業孔における土留め用コンクリート壁の構築方法。
【発明の詳細な説明】
【技術分野】
【０００１】
本発明は、地面に、略鉛直且つ平坦な内側壁を有する作業孔を掘削した後、その作業孔の内側壁に接する土留め用コンクリート壁を構築する方法に関する。
【背景技術】
【０００２】
建築物（例えばビル、マンション等）の建設工事等に付随して基礎工事を行う場合に、地面に作業孔を掘削し、その作業孔の底部に基礎を構築するようにしている。そして、この作業孔の掘削に当たり、例えば敷地スペースに余裕のない都市部での工事等の場合には、隣地ギリギリまで作業孔を略垂直に掘り下げることが多く、その場合には、作業孔の内側壁に対し土留めを行う必要がある。
【０００３】
そこで、その土留めのために、従来では例えば頑丈な鋼矢板を作業孔の内側壁に沿って垂直に打ち込むことで土留め壁を構築するシートパイル工法（例えば特許文献１を参照）や、複数の頑丈なＨ型の親杭を作業孔の内側壁に沿って相互に間隔をおいて垂直に打ち込み、隣り合う親杭間に土留め用の横矢板を掛け渡す親杭横矢板工法が知られている。
【先行技術文献】
【特許文献】
【０００４】
【特許文献１】特開平５−１４０９２８号公報
【発明の概要】
【発明が解決しようとする課題】
【０００５】
しかしながら上記した何れの従来工法も、基礎工事の終了に伴い作業孔に土を埋め戻した後で、頑丈な鋼矢板や親杭・横矢板を地面より引き抜く必要があり、その引抜き作業が大掛かりとなってコスト増となる不都合があった。
【０００６】
また上記した土留め用の鋼矢板や親杭・横矢板は、頑丈に形成されていて比較的高価である。従って、これら頑丈な鋼矢板等は、上記引抜き作業を行わずに工事現場に置き去り（即ち使い捨て）にすることは、多大なコスト増の要因となってしまうため、現実的ではない。
【０００７】
本発明は、斯かる事情に鑑みてなされたもので、従来工法の上記問題を解決可能として低コストで土留めを行うことができる、作業孔における土留め用コンクリート壁の構築方法を提供することを目的とする。
【課題を解決するための手段】
【０００８】
上記目的を達成するために、本発明は、地面に、略鉛直且つ平坦な内側壁を有する作業孔を掘削した後、その作業孔の内側壁に接する土留め用コンクリート壁を構築し、前記構築に当たっては、矩形平板状の主型枠板と、その主型枠板の正面に固着されて該主型枠板との間に上下端が開放した扁平且つ直方体状の打設用空間を画成する副型枠板とを有する型枠ユニットを用いる、作業孔における土留め用コンクリート壁の構築方法であって、掘削後の前記作業孔の内側壁の一部に前記主型枠板の背面を近接、対面させると共に、前記型枠ユニットの下端部を該作業孔の底部に押込んで固定し、その底部で前記打設用空間の下端を閉じる第１工程と、次いで、前記作業孔の深さよりも長い複数の杭の下端を、前記打設用空間を通して相互に間隔をおいて前記作業孔の底部に打ち込む第２工程と、その後、少なくとも前記副型枠板の周辺で該副型枠板の上端と略同じ高さまで土を埋め戻し、且つ前記打設用空間に生コンを一次投入する第３工程と、次いで、前記型枠ユニットを、前記一次投入された未硬化状態の前記生コンを置き去りにしたまま、前記副型枠板の下端が該生コンの上端と略同じ高さとなるまで持ち上げる第４工程と、その後、少なくとも前記副型枠板の周辺で該副型枠板の上端と略同じ高さまで土を埋め戻し、且つ前記打設用空間に生コンを二次投入する第５工程と、次いで、前記型枠ユニットを、前記二次投入された未硬化状態の前記生コンを置き去りにしたまま前記作業孔の外に引き上げる第６工程と、その後、前記生コンが硬化して土留め用コンクリート壁が形成されるのを待って、前記第３工程及び前記第５工程で埋め戻した土を掘り返すことにより、該土留め用コンクリート壁を前記作業孔の内部空間に臨ませる第７工程とを少なくとも含むことを第１の特徴とする。
【０００９】
また本発明は、第１の特徴に加えて、前記主型枠板は、前記第１工程の終了直後に該主型枠板の上端が前記作業孔の上方開口端と略同じ高さとなるように上下方向長さが設定され、前記副型枠板は、前記主型枠板の正面の下半部に固着されることをことを第２の特徴としている。
【００１０】
また本発明は、第１又は第２の特徴に加えて、前記副型枠板は、前記作業孔の深さの概ね半分に相当する上下方向長さを有することをことを第３の特徴としている。
【００１１】
また本発明は、第１〜第３の何れかの特徴に加えて、前記作業孔を掘削する建機（バックホー）を用いて、前記第１工程〜前記第７工程のうちの少なくとも一部の工程を実行することを第４の特徴としている。
【発明の効果】
【００１２】
本発明の第１の特徴によれば、作業孔を掘削後、第１工程で作業孔の内側壁の一部に型枠ユニットの主型枠板の背面を近接、対面させると共に、型枠ユニットの下端部を作業孔底部に押込んで固定し、次いで第２工程で、長い複数の杭の下端を、打設用空間を通して相互に間隔をおいて作業孔底部に打ち込み、その後、第３工程で、副型枠板の上端と略同じ高さまで土を埋め戻し、且つ打設用空間に生コンを一次投入し、次いで第４工程で、型枠ユニットを、一次投入された未硬化状態の生コンを置き去りにしたまま、副型枠板の下端が生コン上端と略同じ高さとなるまで持ち上げ、その後、第５工程で、副型枠板の上端と略同じ高さまで土を埋め戻し、且つ打設用空間に生コンを二次投入し、次いで第６工程で、型枠ユニットを、二次投入された未硬化状態の生コンを置き去りにしたまま作業孔の外に引き上げ、その後、第７工程で、生コンが硬化して土留め用コンクリート壁が形成されるのを待って、第３工程及び第５工程で埋め戻した土を掘り返すことにより、土留め用コンクリート壁を作業孔の内部空間に臨ませる。
【００１３】
これにより、構造簡単な型枠ユニットを使用して、これの打設用空間内に生コンを二段階、即ち第３・第５工程で投入することにより、縦長の土留め用コンクリート壁を上下に順次、段階的に成形できる。しかもこのコンクリート壁、及び壁中の杭は低コストであって、これらを作業孔の埋め戻し後に現場に置き去りにしても問題は無いから、その杭等の引き上げ作業を省略可能となる。その上、型枠ユニットは、これを作業孔の内側壁に沿って上下にずり動かすだけで、生コンの一次投入（第３工程）・二次投入（第５工程）の何れの段階でも型枠として利用できるため、型枠ユニット自体の軽量小型化が図られて取り扱いが簡便であり、更にコンクリート壁の構築後は、次のコンクリート壁の構築にも再利用可能である。以上の結果、全体として土留め壁の構築コストの節減と作業効率アップに大いに寄与することができる。
【００１４】
また第２の特徴によれば、型枠ユニットの主型枠板は、第１工程の終了直後に主型枠板の上端が作業孔の上方開口端と略同じ高さとなるように上下方向長さが設定され、副型枠板は、主型枠板の下半部に固着されるので、第１〜第３工程（即ち型枠ユニットの打設用空間に生コンを一次投入するまで）の間、作業孔の内側壁上部から零れ落ちる土が打設用空間に入るのを主型枠板の上半部で効果的に防止可能となる。これにより、コンクリート壁中にその打設用空間に落下土が混じることでコンクリート壁の強度が低下するのを未然に効果的に回避でき、コンクリートの打設作業を効率よく的確に行うことができる。
【００１５】
また第３の特徴によれば、副型枠板は、作業孔の深さの概ね半分に相当する上下方向長さを有するので、副型枠板の上下サイズを最小限に抑えることができて、型枠ユニットの更なる小型軽量化に寄与することができる。
【００１６】
また第４の特徴によれば、作業孔を掘削する建機を用いて、第１工程〜第７工程のうちの少なくとも一部の工程を実行するので、作業孔掘削用の建機（例えばバックホー）を利用して、コンクリート壁構築のための一連の作業工程（第１工程〜第７工程）の少なくとも一部を能率よく実行することができる。
【図面の簡単な説明】
【００１７】
【図１】本発明方法により土留め用コンクリート壁が構築された作業孔の一例を概略的に示す縦断面図
【図２】本発明方法の実施に用いる型枠ユニット及び杭の一例を示す斜視図
【図３】（Ａ）は、図２の３Ａ−３Ａ線断面図、（Ｂ）は、図２の３Ｂ−３Ｂ線断面図
【図４】（ａ）は、第１工程の実施途中の状態を示す斜視図、（ｂ）は、図４（ａ）のｂ−ｂ線断面図
【図５】（ｃ）は、第２工程の終了直後の状態を示す斜視図、（ｄ）は、図５（ｃ）のｄ−ｄ線断面図、（ｅ）は、図５（ｄ）のｅ−ｅ線断面図
【図６】（ｆ）は、第３工程の終了直後の状態を示す斜視図、（ｇ）は、図６（ｆ）のｇ−ｇ線断面図、（ｈ）は、図６（ｇ）のｈ−ｈ線断面図
【図７】（ｉ）は、第４工程の終了直後の状態を示す斜視図、（ｊ）は、図７（ｉ）のｊ−ｊ線断面図
【図８】（ｋ）は、第５工程の終了直後の状態を示す斜視図、（ｌ）は、図８（ｋ）のｌ−ｌ線断面図、（ｍ）は、図８（ｌ）のｍ−ｍ線断面図
【図９】（ｎ）は、第９工程の終了直後の状態を示す斜視図、（ｏ）は、図９（ｎ）のｏ−ｏ線断面図
【図１０】型枠ユニットの変形例を示す斜視図（図２対応図）
【発明を実施するための形態】
【００１８】
本発明の一実施形態を、添付図面に示す本発明の好適な実施例に基づいて以下に説明する。
【００１９】
建築物（例えばビル、マンション等）の建設工事に付随して基礎工事を行う場合に、例えば図１に示すように、工事現場の地面Ｅに作業孔２を不図示の建機（例えばバックホー）により掘削し、その作業孔２の底部２ｂに基礎Ｂを構築する。この場合、例えば敷地スペースに余裕のない都市部での工事であれば、図１に示すように隣地ギリギリまで作業孔２を略鉛直に掘り下げ、掘削後は、作業孔２の略鉛直且つ平坦な内側壁２ｉに対し土留め壁Ｗが構築される。
【００２０】
そして、基礎工事が終了すると、作業孔２の少なくとも一部には、上記建機等を用いて土が埋め戻される。この場合、土留め壁Ｗは、一般的には工事現場より撤去されるケースが多いが、本実施形態では現場にそのまま置き去りにされる。
【００２１】
本実施形態の土留め壁は、後述する作業手順により構築されたコンクリート壁Ｗで構成され、それは、コンクリート製の壁本体Ｗｍと、その壁本体Ｗｍ中に一体に埋設され且つ下端部８ｄが作業孔２の底部２ｂに打ち込まれる複数の杭８とを備える。そのコンクリート壁Ｗの構築に用いる型枠ユニットＵの一例を、図２、図３を参照して次に説明する。
【００２２】
その型枠ユニットＵは、鋼板をボックス状に枠組したものであって、それは、矩形平板状（図示例では上下方向に長い長方形状）の主型枠板Ｐ１と、その主型枠板Ｐ１の正面１１に固着（例えば溶接）された横断面コ字状の副型枠板Ｐ２とを備えている。その副型枠板Ｐ２は、これと主型枠板Ｐ１との間に、上下端が開放した扁平且つ直方体状の打設用空間Ｃを画成する。
【００２３】
副型枠板Ｐ２は、作業孔２の深さの概ね半分に相当する上下方向長さを有して、主型枠板Ｐ１の正面１１の下半部に固着される。
【００２４】
一方、主型枠板Ｐ１は、図５にも示すように、後述する第１工程の終了直後の状態（即ち型枠ユニットＵの下端部を作業孔２の底部２ｂに押込み、固定した状態）で、主型枠板Ｐ１の上端Ｐ１ｕが作業孔２の上方開口端２ｏと略同じ高さとなるように上下方向長さが設定される。
【００２５】
また主型枠板Ｐ１の上部には、これを昇降駆動手段としての建機（例えばバックホー）でワイヤ５１を介して吊り下げる際（図４参照）に、ワイヤ５１の端末に付設したフック５１ｆに係止させる目玉状の被係止片５０の基部が回動可能に枢支連結される。
【００２６】
上記した作業孔２を掘削後、それの内側壁２ｉに土留め用のコンクリート壁Ｗを構築する手法は、例えば、以下の［第１工程］〜［第７工程］を順次、実行することで実施可能である。次に、その手法の一例を、図４〜図９を参照して具体的に説明する。
［第１工程］
先ず、建機で掘削された作業孔２の内側壁２ｉの一部に沿わせて、建機で吊り下げた型枠ユニットＵを降ろす。この場合、図４に示すように作業孔２の内側壁２ｉに主型枠板Ｐ１の背面１２を近接、対面（図示例では接触）させつつ、型枠ユニットＵを鉛直姿勢のまま下降させる。そして、型枠ユニットＵが作業孔２の底部２ｂに達したら、図５に示すように型枠ユニットＵの下端部Ｐ１ｄを作業孔２の底部２ｂに押込んで固定し、これにより、その底部２ｂで打設用空間Ｃの開放下端が閉じられる。このとき、副型枠板Ｐ２の下端部Ｐ２ｄを作業孔２の底部２ｂに多少、食い込ませるようにしてもよい。
［第２工程］
次いで、図５に示すように、作業孔２の深さよりも長い複数の杭８の下端８ｄを、打設用空間Ｃを通して相互に間隔をおいて作業孔２の底部２ｂに強固に打ち込む。
［第３工程］
その後、図６に示すように、少なくとも副型枠板Ｐ２の周辺で副型枠板Ｐ２の上端Ｐ２ｕと略同じ高さまで土３１を埋め戻して固め、且つ打設用空間Ｃに生コン２１を一次投入する。この場合、土３１の埋め戻し作業と、生コン２１の一次投入作業との作業順序は、何れを先にしてもよく、例えば、土３１の埋め戻し後に生コン２１を一次投入してもよいし、或いは、生コン２１の一次投入後に土３１を埋め戻してもよい。また、土３１の埋め戻し範囲と埋め戻し部分の固さは、次の第４工程で型枠ユニットＵを引き上げた状態でも土３１が崩れない程度（換言すれば、埋め戻した土３１と、作業孔２の内側壁２ｉとが生コン２１を囲む型枠の機能を発揮し得る程度）に設定される。
［第４工程］
次いで、型枠ユニットＵを、一次投入された未硬化状態の生コン２１を置き去りにしたまま、図７に示す如く副型枠板Ｐ２の下端Ｐ２ｄが生コン２１の上端２１ｕと略同じ高さとなるまで持ち上げる。その持ち上げ状態で、型枠ユニットＵの打設用空間Ｃの開放下端は、土３１の中に置き去りにされた未硬化の生コン２１の上端面で塞がれる。
［第５工程］
その後、図８に示すように、少なくとも副型枠板Ｐ２の周辺で副型枠板Ｐ２の上端Ｐ２ｕと略同じ高さまで土３２を埋め戻して固め、且つ打設用空間Ｃに生コン２２を二次投入する。この場合、土３２の埋め戻し作業と、生コン２２の二次投入作業との作業順序は、何れを先にしてもよく、例えば、土３２の埋め戻し後に生コン２２を二次投入してもよいし、或いは、生コン２２の二次投入後に土３２を埋め戻してもよい。また、土３２の埋め戻し範囲と埋め戻し部分の固さは、次の第６工程で型枠ユニットＵを引き上げた状態でも土３２が崩れない程度（換言すれば、埋め戻した土３２と、作業孔２の内側壁２ｉとが生コン２２を囲む型枠の機能を発揮し得る程度）に設定される。
［第６工程］
次いで、型枠ユニットＵを、二次投入された未硬化状態の生コン２２を置き去りにしたまま作業孔２の外に引き上げる。
［第７工程］
その後、生コン２１，２２が完全に固化して土留め用コンクリート壁Ｗが形成されるのを待って、第３工程及び第５工程で埋め戻した土３１，３２を掘り返すことにより、図９に示すように土留め用コンクリート壁Ｗを作業孔２の内部空間４０に臨ませる。尚、この状態でコンクリート壁Ｗの表面には土３１，３２の一部が付着している。
【００２７】
以上の第１〜第７工程を経て、作業孔２の内側壁２ｉに土留め用コンクリート壁Ｗが、図９の実線に示すように構築される。
【００２８】
次に、作業孔２の内側壁２ｉの、コンクリート壁Ｗの隣の区画において、図９の二点鎖線に示す新たなコンクリート壁Ｗを上記と同様の手法で構築する。そして、新たなコンクリート壁Ｗが構築されたら、更に隣の区画に次のコンクリート壁Ｗを同様の要領で構築し、これが次々と繰り返されて作業孔の内側壁２ｉにその周囲全周に亘りコンクリート壁Ｗが構築される。
【００２９】
その場合、相隣なるコンクリート壁Ｗの隣接端間には隙間が形成され、そこから土中の水が滲み出して作業孔２の底部２ｂに溜まる可能性がある。その場合は、排水ポンプ等の排水手段（図示せず）を用いて孔外に排水すればよい。
【００３０】
尚、上記したようにコンクリート壁Ｗを１個ずつ順次に構築する代わりに、複数の型枠ユニットＵを用意して作業孔２の内側壁２ｉに沿うよう並列配置し、その複数の型枠ユニットＵを用いて前記第１〜第７工程を各々実行することで、並列状態の複数のコンクリート壁Ｗを同時並行的に構築するようにしてもよい。
【００３１】
次に前記実施形態の作用を説明する。
【００３２】
以上説明した本実施形態に係る土留め用コンクリート壁Ｗの構築方法の実行に際しては、作業孔２を掘削後、先ず、第１工程で作業孔２の内側壁２ｉの一部に型枠ユニットＵの主型枠板Ｐ１の背面１２を近接、対面（図示例では接触）させると共に、型枠ユニットＵの下端部（即ち主型枠板Ｐ１の下端部Ｐ１ｄ）を作業孔２の底部２ｂに押込んで固定する。次いで第２工程で、長い複数の杭８の下端８ｄを、打設用空間Ｃを通して相互に間隔をおいて作業孔２底部２ｂに打ち込み、その後、第３工程で、副型枠板Ｐ２の上端Ｐ２ｕと略同じ高さまで土３１を埋め戻して固め、且つ打設用空間Ｃに上方より生コン２１を一次投入する。
【００３３】
次いで第４工程で、型枠ユニットＵを、一次投入された未硬化状態の生コン２１を置き去りにしたまま、副型枠板Ｐ２の下端Ｐ２ｄが生コン２１の上端２１ｕと略同じ高さとなるまで持ち上げる。この場合、副型枠板Ｐ２の下端Ｐ２ｄと、生コン２１の上端２１ｕとを多少オーバラップさせれば、次の第５工程で二次投入された生コン２２が型枠ユニットＵの打設用空間Ｃ外に流出するのを効果的に防止可能である。
【００３４】
その後、第５工程で、副型枠板Ｐ２の上端Ｐ２ｕと略同じ高さまで土３２を埋め戻して固め、且つ打設用空間Ｃに上方より生コン２２を二次投入する。次いで第６工程で、型枠ユニットＵを、二次投入された未硬化状態の生コン２２を置き去りにしたまま作業孔２の外に引き上げる。その後、第７工程で、前述の生コン２１，２２が完全に固化して土留め用コンクリート壁Ｗが形成されるのを待って、第３工程及び第５工程で埋め戻した土３１，３２を掘り返すことにより、土留め用コンクリート壁Ｗを作業孔２の内部空間４０に臨ませる。
【００３５】
上記したようなコンクリート壁Ｗの構築方法によれば、構造簡単な型枠ユニットＵを使用して、これの打設用空間Ｃ内に生コン２１，２２を二段階、即ち第３・第５工程で投入することにより、縦長の土留め用コンクリート壁Ｗを上下に順次、段階的に成形することができる。しかもこのコンクリート壁Ｗ、及び壁中の杭８は、低コストであって、これらを作業孔の埋め戻し後に現場に置き去りにしても（即ち、一々引き上げて回収しなくても）問題は生じないから、その杭等の引き上げ作業を省略可能となる。その上、型枠ユニットＵは、これを作業孔２の内側壁２ｉに沿って単に上下にずらすだけで、生コン２１，２２の一次投入（第３工程）・二次投入（第５工程）の何れの段階でも型枠として有効活用できるため、型枠ユニットＵ自体の軽量小型化が図られて取り扱いが簡便であり、更にコンクリート壁Ｗの構築後は、作業孔２の外に一旦引き上げて次のコンクリート壁の構築にも再利用可能である。
【００３６】
以上の結果、全体として土留め用コンクリート壁Ｗの構築コストの節減と、構築作業の効率アップに大いに寄与することができる。
【００３７】
また特に本実施形態の型枠ユニットＵの主型枠板Ｐ１は、第１工程の終了直後に主型枠板Ｐ１の上端Ｐ１ｕが作業孔２の上方開口端２ｏと略同じ高さとなるように上下方向長さが設定され、副型枠板Ｐ２は、主型枠板Ｐ１の下半部に固着されている。これにより、第１〜第３工程（即ち型枠ユニットＵの打設用空間Ｃに生コン２１を一次投入するまでの間、作業孔２の内側壁２ｉ上部から零れ落ちる土が打設用空間Ｃに入るのを主型枠板Ｐ１の上半部で効果的に防止可能となるため、コンクリート壁Ｗの中に落下土が混じることでコンクリート壁Ｗの強度が低下するのを未然に効果的に回避でき、コンクリートの打設作業を効率よく的確に行うことができる。
【００３８】
また本実施形態の副型枠板Ｐ２は、作業孔２の深さの概ね半分に相当する上下方向長さを有している。これにより、副型枠板Ｐ２の上下サイズを最小限に抑えることができるから、型枠ユニットＵの更なる小型軽量化が図られる。
【００３９】
また本実施形態では、作業孔２を掘削する建機を用いて、第１工程〜第７工程のうちの少なくとも一部（図示例では全て）の工程を実行するので、作業孔掘削用の建機（例えばバックホー）を利用して、コンクリート壁Ｗの構築のための一連の作業工程（第１工程〜第７工程）の少なくとも一部を能率よく実行可能となる。
【００４０】
以上、本発明の実施例について説明したが、本発明はそれに限定されることなく、その要旨を逸脱しない範囲で種々の設計変更が可能である。
【００４１】
例えば、前記実施形態では、作業孔２を掘削する建機（例えばバックホー）を用いて、コンクリート壁Ｗの構築のための一連の作業工程（第１工程〜第７工程）の少なくとも一部（図示例では全て）の工程を実行するものを示したが、本発明の第１〜第３の特徴においては、作業孔掘削用の建機とは異なる別の作業機械を用いて、或いは手作業を併用して、コンクリート壁Ｗの構築のための一連の作業工程（第１工程〜第７工程）の少なくとも一部を実行してもよい。
【００４２】
また前記実施形態では、建設工事に付随した基礎工事を行うために作業孔２を掘削する場合の土留め壁の構築に本発明方法を適用するものを例示したが、土留め壁を構築すべき作業孔２は、基礎工事以外の種々の工事作業用孔であってもよい。
【符号の説明】
【００４３】
Ｃ・・・・・・打設用空間
Ｐ１，Ｐ２・・主型枠板，副型枠板
Ｐ１ｕ・・・・主型枠板の上端
Ｐ１ｄ・・・・型枠ユニットの下端部としての主型枠板の下端部
Ｐ２ｕ，Ｐ２ｄ・・副型枠板の上端，下端
Ｐ２ｕ・・・・副型枠板の上端
Ｕ・・・・・・型枠ユニット
Ｗ・・・・・・土留め用コンクリート壁
１・・・・・・地面
２・・・・・・作業孔
２ｂ・・・・・作業孔の底部
２ｉ・・・・・作業孔の内側壁
２ｏ・・・・・作業孔の上方開口端
８・・・・・・杭
８ｄ・・・・・杭の下端
１１，１２・・主型枠板の正面，背面
２１，２２・・生コン
２１ｕ・・・・一次投入された生コンの上端
３１，３２・・土
４０・・・・・作業孔の内部空間
【要約】
【課題】工事現場等で作業孔の掘削後、作業孔の内側壁に対し低コストで土留めを行えるコンクリート壁の構築方法を提供する。
【解決手段】作業孔２の内側壁に主型枠板Ｐ１の背面１２を対面させ、型枠ユニットＵの下端部を作業孔底部２ｂに押込んで固定する第１工程と、複数の杭８の下端８ｄを、型枠ユニットＵの打設用空間Ｃを通して作業孔底部２ｂに打込む第２工程と、副型枠板Ｐ２の周辺で土３１を埋め戻し且つ打設用空間Ｃに生コン２１を一次投入する第３工程と、未硬化状態の生コン２１を置去りのまま型枠ユニットＵを持ち上げる第４工程と、副型枠板Ｐ２の周辺で土３２を埋め戻し且つ打設用空間Ｃに生コン２２を二次投入する第５工程と、未硬化状態の生コン２２を置去りのまま型枠ユニットＵを引き上げる第６工程と、生コン２１，２２が硬化してコンクリート壁Ｗが形成されるのを待って、第３，第５工程で埋め戻した土３１，３２を掘返す第７工程とを含む。
【選択図】  図５【図１】
0006729886.tif 000002
【図２】
0006729886.tif 000003
【図３】
0006729886.tif 000004
【図４】
0006729886.tif 000005
【図５】
0006729886.tif 000006
【図６】
0006729886.tif 000007
【図７】
0006729886.tif 000008
【図８】
0006729886.tif 000009
【図９】
0006729886.tif 000010
【図１０】
0006729886.tif 000011